(57)【要約】【課題】適時リフレッシュ動作が実行される電気泳動表示装置を提供する。【解決手段】画像形成要求があった場合には、温度センサから現在温度を取得し（Ｓ１０２）、前回のリフレッシュ動作からの画像書き込みの回数をカウントしている回数カウンタの値を取得し（Ｓ１０３）、これらの値と、重みテーブルに記憶されている各係数を用いて（Ｓ１０１）、タイミング値を算出する（Ｓ１０５）。算出されたタイミング値が閾値を超えた場合には（Ｓ１０６：ＹＥＳ）、リフレッシュ動作を実行し（Ｓ１０７）、回数カウンタをリセットした上で（Ｓ１０８）、画像書き込みを行なう（Ｓ１１１）。閾値を超えなかった場合には（Ｓ１０６：ＮＯ）、そのまま画像書き込みを行なう（Ｓ１１１）。そして、回数カウンタの値を１加算する（Ｓ１１２）。【選択図】図１３
2007187936.tif 000002
【特許請求の範囲】
【請求項１】
互いに対向するように配置した、第１電極を有する第１基板及び第２電極を有する第２基板と、
前記第１基板及び前記第２基板の間隙に形成される表示部と、
前記第１電極と前記第２電極との間に発生する電界の方向に応じて移動する複数の帯電粒子が分散され、前記表示部に充填される分散媒と、
前記第１及び前記第２基板と前記表示部とを備えた表示パネルと、
前記表示部に対して画像形成要求がなされたとき、前記第１電極及び前記第２電極に電圧を印加して前記分散媒に対して電界を発生させる画像形成動作を実行する画像形成手段と、
前記画像形成手段による画像形成動作の実行前に、前記複数の帯電粒子を前記分散媒中で均等分散させるために、前記第１電極及び前記第２電極に電圧を印加し、発生する電界の方向を所定のタイミングで交互に切り替えながら、前記分散媒に対して電界を発生させるリフレッシュ動作を実行するリフレッシュ制御手段とを備えた電気泳動表示装置であって、
前記リフレッシュ制御手段によるリフレッシュ動作の実行後、前記画像形成手段による画像形成動作が実行された回数を計数する画像形成回数計数手段と、
所定のタイミングで周囲の温度を計測する温度計測手段と、
前記画像形成回数計数手段により計数された回数と、前記温度計測手段により計測された温度とに基づいて、前記リフレッシュ制御手段にリフレッシュ動作を実行させるか否かを決定するリフレッシュ決定手段と、
を備えたことを特徴とする電気泳動表示装置。
【請求項２】
前記リフレッシュ決定手段は、前記画像形成回数計数手段により計数された回数と、前記画像形成要求がなされたときに前記温度計測手段により計測された温度とに基づいて、リフレッシュ動作を実行させるか否かを決定することを特徴とする請求項１に記載の電気泳動表示装置。
【請求項３】
前記リフレッシュ決定手段は、前記画像形成回数計数手段により計数された回数と、前記リフレッシュ制御手段によるリフレッシュ動作の実行から前記画像形成要求時までに前記温度計測手段により計測された温度の最高値とに基づいて、リフレッシュ動作を実行させるか否かを決定することを特徴とする請求項１に記載の電気泳動表示装置。
【請求項４】
前記リフレッシュ決定手段は、前記画像形成回数計数手段により計数された回数と、前記リフレッシュ制御手段によるリフレッシュ動作の実行から前記画像形成要求時までに前記温度計測手段により計測された温度の平均値とに基づいて、リフレッシュ動作を実行させるか否かを決定することを特徴とする請求項１に記載の電気泳動表示装置。
【請求項５】
前記リフレッシュ決定手段は、前記画像形成回数計数手段により計数された回数と、前記温度計測手段により計測された温度とに基づいて算出された算出値が所定の閾値を超えた場合に、前記リフレッシュ動作の実行を決定することを特徴とする請求項１乃至４のいずれかに記載の電気泳動表示装置。
【請求項６】
前記リフレッシュ決定手段は、前記画像形成回数計数手段により計数された回数と、前記温度計測手段により計測された温度とに基づいて算出された算出値の累積値が所定の閾値を超えた場合に、前記リフレッシュ動作の実行を決定することを特徴とする請求項１乃至４のいずれかに記載の電気泳動表示装置。
【請求項７】
予め定められた使用者の操作を検出する検出手段を備え、
前記リフレッシュ決定手段は、前記検出手段により入力が検出された場合に、前記リフレッシュ動作の実行を決定することを特徴とする請求項１乃至６のいずれかに記載の電気泳動表示装置。
【請求項８】
前記温度計測手段は、前記表示パネルが形成された面と同一面に配置された温度センサであることを特徴とする請求項１乃至７のいずれかに記載の電気泳動表示装置。
【請求項９】
前記温度計測手段は、前記電気泳動表示装置内の発熱部と前記表示パネルとを直交するように結ぶ直線と、前記表示パネルとが交わる点の温度を計測する温度センサであることを特徴とする請求項１乃至８のいずれかに記載の電気泳動表示装置。
【請求項１０】
前記温度計測手段は、前記表示パネルに配置された複数の温度センサであり、
前記リフレッシュ決定手段は、前記複数の温度センサにより計測された複数の温度のうち、最も高い温度に基づいて、前記リフレッシュ制御手段にリフレッシュ動作を実行させるか否かを決定することを特徴とする請求項１乃至項９のいずれかに記載の電気泳動表示装置。
【発明の詳細な説明】
【技術分野】
【０００１】
本発明は、電気泳動現象を利用して画像を表示する電気泳動表示装置に関するものである。
【背景技術】
【０００２】
一般に、電気泳動現象を利用して画像を表示する電気泳動表示装置が知られている。この電気泳動表示装置では、一方が透明な表示基板と、それに対向配置される背面基板とにより、周囲のギャップスペーサーを介して所定間隔を設けた密閉空間が形成される。そして、着色された球状粒子である帯電粒子が分散された着色液体又は気体からなる分散媒が密閉空間に充填されて表示部が形成される。
【０００３】
このような構成のもと、例えば、黒色液体からなる分散媒中に白色の帯電粒子が分散された電気泳動表示装置においては、２つの基板から表示部に電界を発生させることで、分散媒中の帯電粒子を表示基板側に移動させて、帯電粒子の白色を表示基板の表面に表示させたり、又は帯電粒子を背面基板側に移動させて、分散媒の黒色を表示基板の表面に表示させたりして、所望の画像が得られる。
【０００４】
そして、このような従来の電気泳動表示装置では、時間の経過とともに帯電粒子が凝集したり、表示部の一部分に帯電粒子が偏ったりすることがあり、また長時間画像を表示していないと、表示液中で帯電粒子が沈降してしまうことがあった。このような帯電粒子の凝集や偏りあるいは沈降が生じると、表示液中に電界を発生させても十分に帯電粒子を移動させることができずに、画像に色ムラが発生したり、画像のコントラストが低下したりして、画像品質が劣化するという問題があった。
【０００５】
このような画像品質の悪化を防止するために、電極により大きな電圧を印加して強い電界を発生させることで、帯電粒子の凝集等を解消することが考えられる。しかし、かかる方法では、電気泳動表示装置の消費電力が大幅に増加するとともに、高電圧を伴うために装置の取り扱いが困難となる問題があった。
【０００６】
そこで、特許文献１では、画像形成の前段階で交互に逆極性のパルス電圧を印加することで、壁面に不所望に付着した帯電粒子の剥離を容易にして帯電粒子の電気泳動を促進する方法が開示されている。
【特許文献１】特開２０００−３２１６０５号公報
【発明の開示】
【発明が解決しようとする課題】
【０００７】
このような交互に逆極性のパルス電圧を印加する動作（以下、リフレッシュ動作という）は、表示部の状態に応じて適時実行することが望まれていた。リフレッシュ動作のタイミングを算出するために、例えば、前回のリフレッシュ動作から画像形成の回数をカウントし、一定数に達した場合にリフレッシュ動作を実行するように構成することも考えられるが、回数だけを考慮していると、必要な場合にリフレッシュ動作が実行されない場合があった。
【０００８】
例えば次のような問題がある。帯電粒子は温度が高いほど移動しやすくなる。従って、例えば黒色液体からなる分散媒中に白色の帯電粒子が分散された電気泳動表示装置において、温度が高い場所では白色を表示している画素が徐々に灰色に変化してしまう現象（以下、「灰色劣化」という。）が起こりやすくなる。この灰色劣化した状態で画像形成動作が行なわれると基板に帯電粒子が付着してしまう。
【０００９】
本発明は上記問題を解決するためになされたものであり、適時リフレッシュ動作が実行される電気泳動表示装置を提供することを目的とする。
【課題を解決するための手段】
【００１０】
上記目的を達成するために、本発明の請求項１に記載の電気泳動表示装置は、互いに対向するように配置した、第１電極を有する第１基板及び第２電極を有する第２基板と、前記第１基板及び前記第２基板の間隙に形成される表示部と、前記第１電極と前記第２電極との間に発生する電界の方向に応じて移動する複数の帯電粒子が分散され、前記表示部に充填される分散媒と、前記第１及び前記第２基板と前記表示部とを備えた表示パネルと、前記表示部に対して画像形成要求がなされたとき、前記第１電極及び前記第２電極に電圧を印加して前記分散媒に対して電界を発生させる画像形成動作を実行する画像形成手段と、前記画像形成手段による画像形成動作の実行前に、前記複数の帯電粒子を前記分散媒中で均等分散させるために、前記第１電極及び前記第２電極に電圧を印加し、発生する電界の方向を所定のタイミングで交互に切り替えながら、前記分散媒に対して電界を発生させるリフレッシュ動作を実行するリフレッシュ制御手段とを備えた電気泳動表示装置であって、前記リフレッシュ制御手段によるリフレッシュ動作の実行後、前記画像形成手段による画像形成動作が実行された回数を計数する画像形成回数計数手段と、所定のタイミングで周囲の温度を計測する温度計測手段と、前記画像形成回数計数手段により計数された回数と、前記温度計測手段により計測された温度とに基づいて、前記リフレッシュ制御手段にリフレッシュ動作を実行させるか否かを決定するリフレッシュ決定手段と、を備えたことを特徴とする。
【００１１】
尚、前記リフレッシュ決定手段は、前記画像形成回数計数手段により計数された回数が所定回数以下であっても、回数と温度とに基づいて判断した結果により、前記リフレッシュ動作の実行を決定するようにしてもよい。
【００１２】
また、本発明の請求項２に記載の電気泳動表示装置は、請求項１に記載の発明の構成に加え、前記リフレッシュ決定手段が、前記画像形成回数計数手段により計数された回数と、前記画像形成要求がなされたときに前記温度計測手段により計測された温度とに基づいて、リフレッシュ動作を実行させるか否かを決定することを特徴とする。
【００１３】
また、本発明の請求項３に記載の電気泳動表示装置は、請求項１に記載の発明の構成に加え、前記リフレッシュ決定手段が、前記画像形成回数計数手段により計数された回数と、前記リフレッシュ制御手段によるリフレッシュ動作の実行から前記画像形成要求時までに前記温度計測手段により計測された温度の最高値とに基づいて、リフレッシュ動作を実行させるか否かを決定することを特徴とする。
【００１４】
また、本発明の請求項４に記載の電気泳動表示装置は、請求項１に記載の発明の構成に加え、前記リフレッシュ決定手段が、前記画像形成回数計数手段により計数された回数と、前記リフレッシュ制御手段によるリフレッシュ動作の実行から前記画像形成要求時までに前記温度計測手段により計測された温度の平均値とに基づいて、リフレッシュ動作を実行させるか否かを決定することを特徴とする。
【００１５】
また、本発明の請求項５に記載の電気泳動表示装置は、請求項１乃至４のいずれかに記載の発明の構成に加え、前記リフレッシュ決定手段が、前記画像形成回数計数手段により計数された回数と、前記温度計測手段により計測された温度とに基づいて算出された算出値が所定の閾値を超えた場合に、前記リフレッシュ動作の実行を決定することを特徴とする。
【００１６】
また、本発明の請求項６に記載の電気泳動表示装置は、請求項１乃至４のいずれかに記載の発明の構成に加え前記リフレッシュ決定手段が、前記画像形成回数計数手段により計数された回数と、前記温度計測手段により計測された温度とに基づいて算出された算出値の累積値が所定の閾値を超えた場合に、前記リフレッシュ動作の実行を決定することを特徴とする。
【００１７】
また、本発明の請求項７に記載の電気泳動表示装置は、請求項１乃至６のいずれかに記載の発明の構成に加え、予め定められた使用者の操作を検出する検出手段を備え、前記リフレッシュ決定手段は、前記検出手段により入力が検出された場合に、前記リフレッシュ動作の実行を決定することを特徴とする。
【００１８】
また、本発明の請求項８に記載の電気泳動表示装置は、請求項１乃至７のいずれかに記載の発明の構成に加え、前記温度計測手段が、前記表示パネルが形成された面と同一面に配置された温度センサであることを特徴とする。
【００１９】
また、本発明の請求項９に記載の電気泳動表示装置は、請求項１乃至８のいずれかに記載の発明の構成に加え、前記温度計測手段が、前記電気泳動表示装置内の発熱部と前記表示パネルとを直交するように結ぶ直線と、前記表示パネルとが交わる点の温度を計測する温度センサであることを特徴とする。
【００２０】
また、本発明の請求項１０に記載の電気泳動表示装置は、請求項１乃至９のいずれかに記載の発明の構成に加え、前記温度計測手段が、前記表示パネルに配置された複数の温度センサであり、前記リフレッシュ決定手段は、前記複数の温度センサにより計測された複数の温度のうち、最も高い温度に基づいて、前記リフレッシュ制御手段にリフレッシュ動作を実行させるか否かを決定することを特徴とする。
【発明の効果】
【００２１】
本発明の請求項１に記載の電気泳動表示装置は、前回のリフレッシュ動作の実行後に画像形成動作が実行された回数と計測された周囲の温度とに基づいてリフレッシュ動作を実行させるか否かを決定する。帯電粒子は温度が高いほど移動しやすくなる。従って、例えば黒色液体からなる分散媒中に白色の帯電粒子が分散された電気泳動表示装置において、温度が高い場所では白色を表示している画素が徐々に灰色に変化してしまう灰色劣化が起こりやすくなる。この灰色劣化した状態で画像形成動作が行なわれると基板に帯電粒子が付着してしまうが、画像形成動作の実行回数に加えて温度の情報を加味してリフレッシュ動作のタイミングを決定するため、温度の高い場所において灰色劣化が起こった場合にも、それまでの画像形成回数が少ない場合でもリフレッシュ動作が行われ、表示品質を改善することができる。
【００２２】
また、本発明の請求項２に記載の電気泳動表示装置は、請求項１に記載の発明の効果に加え、画像形成動作の実行回数と、前記画像形成要求がなされたときに前記温度計測手段により計測された温度とに基づいて、リフレッシュ動作を実行するか否かを決定する。従って、温度が高い場合に画像形成要求があると、リフレッシュされやすくなるので、高温な場所での利用時に、高頻度でリフレッシュを実行できる。
【００２３】
また、本発明の請求項３に記載の電気泳動表示装置は、請求項１に記載の発明の効果に加え、画像形成動作の実行回数と、リフレッシュ動作の実行から画像形成要求時までに前記温度計測手段により計測された温度の最高値とに基づいてリフレッシュ動作を実行させるか否かを決定する。従って、最後のリフレッシュの時刻から画像形成要求時までの間に高い温度の時があるとリフレッシュされやすいので、一時的な急激な温度上昇による灰色劣化に対応できる。
【００２４】
また、本発明の請求項４に記載の電気泳動表示装置は、請求項１に記載の発明の効果に加え、画像形成動作の実行回数と、リフレッシュ動作の実行から画像形成要求時までに計測された温度の平均値とに基づいて、リフレッシュ動作を実行するか否かを決定する。従って、最後のリフレッシュの時刻から画像形成要求時までの間に各書込み要求時において平均して高い温度である場合にリフレッシュされやすいので、高温状態が長時間続くことによる灰色劣化の蓄積に対応できる。
【００２５】
また、本発明の請求項５に記載の電気泳動表示装置は、請求項１乃至４のいずれかに記載の発明の効果に加え、画像形成動作の実行回数に加えて温度の情報を加味してリフレッシュ動作のタイミングを算出して決定するため、温度の高い場所において灰色劣化が起こった場合にも、それまでの画像形成回数が少ない場合でもリフレッシュ動作が行われ、表示品質を改善することができる。
【００２６】
また、本発明の請求項６に記載の電気泳動表示装置は、請求項１乃至４のいずれかに記載の発明の効果に加え、画像形成動作の実行回数に加えて温度の情報を加味してリフレッシュ動作のタイミングを算出し、その累積値により決定するため、温度の高い場所において灰色劣化が起こった場合にも、それまでの画像形成回数が少ない場合でもリフレッシュ動作が行われ、表示品質を改善することができる。
【００２７】
また、本発明の請求項７に記載の電気泳動表示装置は、請求項１乃至６のいずれかに記載の発明の効果に加え、使用者の操作が検出された場合にリフレッシュ動作の実行を決定するので、使用者が意図したタイミングでリフレッシュ動作が実行できる。
【００２８】
また、請求項８に記載の電気泳動表示装置は、請求項１乃至７のいずれかに記載の発明の効果に加え、温度センサが表示パネルが形成された面と同一面に配置されているため、表示パネルにかかる温度を正確に検出できる。例えば、屋外における日光や屋内における照明光など、温度が光からの影響を受ける状況下では、異なる平面上では温度差が生じやすいので、同一面に配置されるのが好ましい。
【００２９】
また、請求項９に記載の電気泳動表示装置は、請求項１乃至８のいずれかに記載の発明の効果に加え、装置内のＣＰＵ等の発熱部から熱が伝わり易い位置の温度を計測するので、発熱部から受ける熱により灰色劣化が生じやすい表示パネルの部分の灰色劣化に対応できる。
【００３０】
また、請求項１０に記載の電気泳動表示装置は、請求項１乃至９のいずれかに記載の発明の効果に加え、複数の温度センサで計測された複数の温度のうち、最高の温度に基づいてリフレッシュ動作のタイミングが決定されるので、温度が高く灰色劣化が生じやすい表示パネルの部分の灰色劣化に対応できる。
【発明を実施するための最良の形態】
【００３１】
以下、本発明に係る電気泳動表示装置を具体化した画像表示装置１について図面を参照して説明する。本実施の形態として例示する画像表示装置１は、携帯用の電子機器に具備可能な小型の表示パネル２と、表示パネル２での画像表示を制御する制御基板３とを一体的に備えている。
【００３２】
まず、本実施の形態の画像表示装置１の物理的構成の概略について、図面を参照して説明する。図１は、画像表示装置１の斜視図である。図２は、表示パネル２の正面図である。図３は、表示パネル２のＡ−Ａ´線（図２）における矢視方向断面図である。図４は、表示パネル２のＢ−Ｂ´線（図２）における矢視方向断面図である。尚、図３及び図４における上方向が、画像表示装置１の正面とする。
【００３３】
図１〜図４に示すように、画像表示装置１は、表示パネル２が一例として正面視縦長の直方体形状をなす。図１に点線で示すように、画像表示装置１を正面視したときの表示パネル２の奥側には制御基板３が設けられており、表示パネル２と制御基板３とが電気的に接続されている。
【００３４】
表示パネル２は、その下面部分に設けられる下部基板１０と、その上面部分に設けられる上部基板２０とが対向配置され、下部基板１０と上部基板２０との間に表示部３０を備える。尚、Ａ−Ａ´線は、画像表示装置１の横方向（図２の左右方向）に平行な線を示し、Ｂ−Ｂ´線は、縦方向（図２の上下方向）に平行な線を示す。また、図１に示すように、画像表示装置１の表示パネル２の表示面が配置された面には、後述する温度センサ８１及び操作ボタン９５が配置されている。
【００３５】
図３及び図４に示すように、下部基板１０は、表示部３０に電界を発生させる下部電極１２と、下部電極１２の上面側に絶縁材料を塗布等して形成した絶縁膜である下部電極保護膜１１と、下部電極１２の下面側に設けられて画像表示装置１を支持する筐体支持部１３とを備える。下部電極保護膜１１は、ポリエチレンテレフタレートやシリカ等の樹脂フィルムやガラスなどの無機材料等の高い絶縁性を発揮可能な材料により形成される。尚、本実施の形態では、下部電極保護膜１１及び筐体支持部１３は、可撓性のあるポリエチレンテレフタレートにより構成されたプラスチック基板（樹脂フィルム）である。また、下部電極１２は、一定の電圧が印加されるように線状の電気導電体が横方向（Ａ−Ａ´線方向）に平行に且つ所定間隔を空けて配設された、複数の電極を具備する基板である。
【００３６】
下部基板１０の上方向（図３，４の上方向）には、下部基板１０に対向して、かつ平行に所定間隔を空けて上部基板２０が設けられる。上部基板２０は、表示部３０に電界を発生させる上部電極２２と、上部電極２２の下面側に絶縁材料を塗布等して形成した絶縁膜である上部電極保護膜２１と、上部電極２２の上面側に設けられて透明な部材により構成されて表示画面として機能する表示層２３とを備える。上部電極保護膜２１はポリイミド，ポリエチレンテレフタレート，ガラスなどの高い透明性を発揮可能な材料により形成される。また、上部電極２２は、一定の電圧が印加されるように線状の電気導電体が縦方向（Ｂ−Ｂ´線方向）に平行に且つ所定間隔を空けて配設された、複数の電極を具備する基板であり、かつ高い透明性を発揮可能な材料により構成される。本実施の形態では、上部電極保護膜２１はポリエチレンテレフタレートにより構成されたプラスチック基板（樹脂フィルム）である。また、上部電極２２は酸化インジウムすず（ＩＴＯ）により形成された透明電極であり、表示層２３はガラス基板である。つまり、上部基板２０は透明体であるから、利用者が上部基板２０の上方向（図２上方向）から表示部３０を視認可能な表示基板として機能する。
【００３７】
次に、表示部３０について説明する。対向して設けられる下部基板１０及び上部基板２０と、スペーサー３１とで形成される間隙が、表示部３０である。スペーサー３１は、下部基板１０及び上部基板２０との間隙に架設され、その間隙を格子状に均等に分割して複数の小区画セルを形成するとともに、下部基板１０及び上部基板２０を支持する。スペーサー３１は、格子状に複数の貫通孔が形成された板状部材として構成された可撓性部材であり、例えばポリイミドやポリエチレンテレフタレートなどの合成樹脂で構成されればよい。
【００３８】
また、表示部３０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００３９】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００４０】
また、上部基板２０の上面（下部基板１０と対向しない面）には、正面視、小区画セルが存在しない表示部３０の周縁部を、利用者が視認できないように隠蔽するためのマスク部４０が設けられる。マスク部４０は、上部基板２０の四辺に沿って一定幅で設けられ、表示部３０を利用者が視認できるように貫通孔が設けられたロの字型形状の板状部材であり、ポリエチレンテレフタレートなどの合成樹脂を着色したものを接着したり、表示層２３の表面に印刷したインク層で形成すればよい。そして、画像表示装置１（表示パネル２）をその上方からみると、マスク部４０に設けられた貫通孔から、表示部３０を視認することができる構成となっている。
【００４１】
次に、図５を参照して、リフレッシュ動作時及び画像形成動作時における電圧の印加制御について説明する。図５は、リフレッシュ動作時及び画像形成動作時において上部電極１２に印加される電圧Ｖ１と、リフレッシュ動作時及び画像形成動作時において下部電極２２に印加される電圧Ｖ２と、リフレッシュ動作時及び画像形成動作時において上部電極１２と下部電極２２との間に発生する電位差Ｖ１−Ｖ２との一例を説明する説明図である。
【００４２】
図５の（Ａ）にリフレッシュ動作時及び画像形成動作時において上部電極１２に印加される電圧Ｖ１を示し、（Ｂ）にリフレッシュ動作時及び画像形成動作時において下部電極２２に印加される電圧Ｖ２を示し、（Ｃ）にリフレッシュ動作時及び画像形成動作時において上部電極１２と下部電極２２との間に発生する電位差Ｖ１−Ｖ２を示す。
【００４３】
図５に示すように、時間ｔ１の間、リフレッシュ動作が行なわれた後、時間ｔ２の間、画像形成動作が実行される。本実施形態のリフレッシュ動作では上部基板１２側に、白色の帯電粒子３３ａ、黒色の帯電粒子３３ｂ、白色の帯電粒子３３ａ、黒色の帯電粒子３３ｂ、白色の帯電粒子３３ａの順番に移動させるように電圧を印加させている。また、下部基板２２側には、黒色の帯電粒子３３ｂ、白色の帯電粒子３３ａ、黒色の帯電粒子３３ｂ、白色の帯電粒子３３ａ、黒色の帯電粒子３３ｂが順番に移動させられる。
【００４４】
このように本実施形態のリフレッシュ動作では、上部基板１２と下部基板２２との間を帯電粒子３３が５回移動させられるように電圧が印加されている。
【００４５】
このリフレッシュ動作における一回の帯電粒子３３の移動のために電圧を印加する時間ｔ１/５は時間ｔ２よりも短くなるように設定されている。この時間ｔ１/５は、灰色劣化が起こった状態で、間電位差Ｖ１−Ｖが電極間に与えられたとしても、帯電粒子３３が基板に付着しない時間が設定される。
【００４６】
次に、画像表示装置１の電気的構成について説明する。図６は、画像表示装置１の電気的構成を示すブロック図である。図６に示すように、画像表示装置１の制御基板３（図１参照）には、画像表示装置１を制御するＣＰＵ９０と、ＣＰＵ９０が実行するプログラム等を記憶したＲＯＭ９１と、表示部３０への表示内容を制御する表示制御部９２と、データを一時的に記憶するＲＡＭ９３と、時間を計測してＣＰＵ９０に入力するタイマ９４と、操作ボタン９５と、温度センサ８１と、メモリカード抜き差しセンサ８２と、電源ボタン８３と、充電コネクタ抜き差しセンサ８４と、ＵＳＢ抜き差しセンサ８５と、メモリカード８７とのインタフェースとしてのメモリカードインタフェース８６とがバスを介して接続されている。
【００４７】
ここで、画像表示装置１には図示しないメモリカードスロットが設けられており、メモリカード抜き差しセンサ８２は、表示部３０に表示させる画像データを記憶したメモリカード８７がメモリカードスロットに抜き差しされたか否かを検出する。
【００４８】
メモリカード８７には、複数のページ単位の画像データで構成されるコンテンツデータが記憶されている。表示パネル２にはこのメモリカード８７に記憶されたコンテンツデータのうちいずれかのページの画像データが表示される。尚、メモリカード８７には複数のコンテンツデータが記憶されていてもよい。そして、ＣＰＵ９０はメモリカードインタフェース８６を介しスロットに差し込まれたメモリカード８７に対して、コンテンツデータの読み込み及び書込み等を実行する。
【００４９】
また、電源ボタン８３は、画像表示装置１の電源のＯＮ・ＯＦＦを行なう。充電コネクタ抜き差しセンサ８４は、画像表示装置１の充電コネクタの抜き差しがされたか否かを検出する。また、ＵＳＢ抜き差しセンサ８５は、ＰＣと接続するためのＵＳＢコネクタが抜き差しされたか否かを検出する。尚、温度センサ８１が本発明の温度計測手段に相当し、メモリカード抜き差しセンサ８２，電源ボタン８３，充電コネクタ抜き差しセンサ８４，ＵＳＢ抜き差しセンサ８５，操作ボタン９５が本発明の検出手段に相当する。
【００５０】
また、操作ボタン９５は、使用者により各種操作が行なわれることにより、その各種操作に対応する指示信号をＣＰＵ９０に送信する。例えば、各種操作としてＣＰＵ９０に使用者の任意のタイミングでリフレッシュ動作を実行させるリフレッシュ操作、表示パネル２で表示中の画像データの書き換えを行なう画面書換操作等が存在する。
【００５１】
ここで、画面書換操作としては、表示中のページめくりを行なうページめくり操作、表示中のコンテンツを切換えるコンテンツ切替操作、メモリカード８７に記憶されているコンテンツデータのリストを表示するコンテンツリスト画面や、画像表示装置１の各種設定を行なう設定画面等の所定の画面を表示させる操作等が存在する。この画面書換操作が行なわれると、それぞれの画面書換操作に対応する画像を形成させるための指示信号である画像形成要求をＣＰＵ９０に送信し、ＣＰＵ９０は表示パネル２に表示させる次の画像データの内容に応じて上述の画像形成動作を実行する。
【００５２】
また、ＲＡＭ９３には、後述の画面書換え処理でリフレッシュ動作を実行するタイミングを決定するための重みテーブルを記憶した重みテーブル記憶領域９３１，前回のリフレッシュ動作の実行時から表示部３０への画像形成動作が実行された回数を数えるカウンタである回数カウンタを記憶する回数カウンタ記憶領域９３２，温度センサ８１により検出された周囲の温度を記憶する温度記憶領域９３３，画像形成動作の実行回数や計測された温度から算出した、リフレッシュ動作を行なうタイミングを決定するための値であるタイミング値を記憶するタイミング値記憶領域９３４，メモリカードの挿入、充電の有無、ＵＳＢ接続の有無等の画像表示装置１の現在の状態を記憶する状態記憶領域９３５，図示外のその他の記憶領域が設けられている。
【００５３】
次に、上記構成の元で画像表示装置１の実行する動作について図７〜図１３を参照して説明する。図７は、画像表示装置１のメイン処理のフローチャートである。図８は、メイン処理で実行されるメモリカードチェック処理のフローチャートである。図９は、メイン処理で実行されるリフレッシュ用ボタンチェック処理のフローチャートである。図１０は、メイン処理で実行される充電状態チェック処理のフローチャートである。図１１は、メイン処理で実行されるＵＳＢチェック処理のフローチャートである。図１２は、メイン処理で実行される画像形成要求チェック処理のフローチャートである。図１３は、画像形成要求チェック処理の中で実行される画面書換え処理のフローチャートである。
【００５４】
図７に示すように、電源ボタン８３が押されて電源がＯＮされると、メイン処理が開始される。まず、状態記憶領域９３５等をリセットする初期化処理を実行する（Ｓ１）。次に、リフレッシュ動作を実行する（Ｓ２）。リフレッシュ動作は、ＲＡＭ９３内のリフレッシュデータメモリ(図示外)に記憶されているリフレッシュデータが読み出され、リフレッシュ動作制御信号に基づいて実行される。すなわち、リフレッシュ動作制御信号がドライバ(図示外)を介して送信されて下部電極１２及び上部電極２２に電圧が印加され、表示パネル２に所定の電界が発生する。その結果、表示部３０内の帯電粒子３３ａ，３３ｂが均等分散される。
【００５５】
次に、タイミング値記憶領域９３４に記憶されているタイミング値と、回数カウンタ記憶領域９３２に記憶されている回数カウンタの値をリセットする（Ｓ３）。次に、画像表示装置１のメモリカードスロット（図示外）にメモリカード８７が挿入されたかどうかを判断するメモリカードチェック処理を実行する（Ｓ４）。メモリカードチェック処理の詳細については、図８を参照して後述する。
【００５６】
次に、操作ボタン９５によりリフレッシュ操作が入力されたかどうかをチェックするリフレッシュ操作チェック処理を実行する（Ｓ５）。リフレッシュ操作チェック処理の詳細については図９を参照して後述する。
【００５７】
次に、充電が終了したかどうかをチェックする充電状態チェック処理を実行する（Ｓ６）。充電状態チェック処理の詳細については、図１０を参照して後述する。
【００５８】
次に、画像表示装置１がＰＣにＵＳＢを介して接続しているかどうかの状態をチェックするＵＳＢ接続状態チェック処理を実行する（Ｓ７）。ＵＳＢ接続状態チェック処理の詳細については、図１１を参照して後述する。
【００５９】
次に、表示部３０に画像を形成する画像形成要求があったかどうかをチェックし、要求のあった場合に画像形成動作を実行する画像形成要求チェック処理を実行する（Ｓ８）。画像形成要求チェック処理の詳細については、図１２及び図１３を参照して後述する。
【００６０】
次に、電源ボタン８３が押されたか否かを判断し（Ｓ９）、電源ボタン８３が押された場合には（Ｓ９：ＹＥＳ）、リフレッシュ動作を実行し（Ｓ１０）、タイミング値と回数カウンタをリセットして（Ｓ１１）、処理を終了し電源がオフされる。電源ボタンが押されていない場合には（Ｓ９：ＮＯ）、Ｓ４に戻って処理を繰り返す。尚、Ｓ１０では最後にリフレッシュ動作前の画像を表示する。
【００６１】
次に、図８を参照して、メイン処理で実行するメモリカードチェック処理について説明する。まず、状態記憶領域９３５から、以前のメモリカード８７の状態（スロットに挿入されていたか否か）を取得する（Ｓ４１）。次に、現在のメモリカード８７の状態をメモリカード抜き差しセンサ８２から取得する（Ｓ４２）。
【００６２】
次に、Ｓ４１で取得した以前の状態と、Ｓ４２で取得した現在の状態を比較し、メモリカー８７ドが挿入されたか否かを判断する（Ｓ４３）。以前の状態が、メモリカード８７がスロットに差し込まれていない状態であって、且つ、現在の状態が、メモリカード８７がスロットに差し込まれている状態である場合にのみ、メモリカード８７が挿入されたと判断し（Ｓ４３：ＹＥＳ）、これから画像形成動作が要求されると予想されるので、鮮明な画像表示をするためにリフレッシュ動作を実行する（Ｓ４４）。すなわち、以前メモリカード８７が差し込まれており且つ現在メモリカード８７が差し込まれている場合、以前メモリカード８７が差し込まれており且つ現在メモリカード８７が差し込まれていない場合、以前メモリカード８７が差し込まれて折らず且つ現在メモリカード８７が差し込まれていない場合の３つの場合は、メモリカード８７が挿入されたとは判断されず（Ｓ４３：ＮＯ）、後述するようにいずれもＳ４６に移行し、Ｓ４２で取得した現在の状態を状態記憶領域９３５に記憶して、メイン処理に戻る。
【００６３】
Ｓ４４でリフレッシュ動作を実行した後、タイミング値記憶領域９３４に記憶されているタイミング値と、回数カウンタ記憶領域９３２に記憶されている回数カウンタの値をリセットする（Ｓ４５）。そして、Ｓ４６に進む。尚、Ｓ４４では最後にリフレッシュ動作前の画像を表示する。
【００６４】
上述のＳ４３及びＳ４４において、メモリカード８７が差し込まれていない状態からメモリカード８７が挿入されたと判断された場合にのみ、リフレッシュ動作を行なう理由は、メモリカード８７に記憶されたコンテンツデータに基づいて、これから画像形成動作が要求されると予想されるからである。
【００６５】
次に、図９を参照して、メイン処理で実行するリフレッシュ操作チェック処理について説明する。まず、操作ボタン９５によりリフレッシュ操作が入力されたか否かを判断する（Ｓ５１）。リフレッシュ操作が入力された場合には（Ｓ５１：ＹＥＳ）、使用者の要求に従ってリフレッシュ動作を実行し（Ｓ５２）、タイミング値記憶領域９３４に記憶されているタイミング値と、回数カウンタ記憶領域９３２に記憶されている回数カウンタの値をリセットして（Ｓ５３）、メイン処理に戻る。また、リフレッシュ操作が入力されていない場合には（Ｓ５１：ＮＯ）、そのままメイン処理に戻る。尚、Ｓ５２では最後にリフレッシュ動作前の画像を表示する。
【００６６】
次に、図１０を参照して、メイン処理で実行する充電状態チェック処理について説明する。まず、状態記憶領域９３５から、以前の充電状態（充電中か否か）を取得する（Ｓ６１）。次に、現在の充電状態を充電コネクタ抜き差しセンサ８４から取得する（Ｓ６２）。
【００６７】
次に、Ｓ６１で取得した以前の状態と、Ｓ６２で取得した現在の状態を比較し、充電コネクタが挿入された状態から抜かれた状態に変化しているかにより、充電が終了したか否かを判断する（Ｓ６３）。充電が終了した場合には（Ｓ６３：ＹＥＳ）、これから画像形成動作が要求されると予想されるので、リフレッシュ動作を実行し（Ｓ６４）、タイミング値記憶領域９３４に記憶されているタイミング値と、回数カウンタ記憶領域９３２に記憶されている回数カウンタの値をリセットする（Ｓ６５）。そして、Ｓ６６に進む。尚、Ｓ６４では最後にリフレッシュ動作前の画像を表示する。
【００６８】
充電が終了していなければ（Ｓ６３：ＮＯ）、Ｓ６２で取得した現在の状態を状態記憶領域９３５に記憶して（Ｓ６６）、メイン処理に戻る。
【００６９】
次に、図１１を参照して、メイン処理で実行するＵＳＢチェック処理について説明する。まず、状態記憶領域９３５から、以前のＵＳＢの接続状態（ＵＳＢに接続しているか否か）を取得する（Ｓ７１）。次に、現在のＵＳＢの接続状態をＵＳＢ抜き差しセンサ８５から取得する（Ｓ７２）。
【００７０】
次に、現在のＵＳＢの接続状態が接続中であるか否かを判断する（Ｓ７３）。ＵＳＢが接続された状態である場合は（Ｓ７３：ＹＥＳ）、状態記憶領域９３５を参照し（Ｓ７４）、現在メモリカード８７が差し込まれた状態であるか否かを判断する（Ｓ７５）。
【００７１】
メモリカード８７が差し込まれた状態である場合は（Ｓ７４：ＹＥＳ）、ＵＳＢ及びメモリカードインタフェース８６を介してＰＣから任意のコンテンツデータをメモリカード８７に書き込んだり、消去したりするメモリカード書換処理を開始する（Ｓ７６）。
【００７２】
このメモリカード書換処理（Ｓ７６）については、本発明とは直接関係がないので説明を省略するが、この処理ではＰＣからの指示に基づいてメモリカード８７に記憶されている内容が書き換えられる。メモリカード書換処理（Ｓ７６）の実行を終了すると、後述のＳ７７に移行する。尚、Ｓ７６においては、メモリカード８７に記憶された内容を自由に書き換えることができる。
【００７３】
Ｓ７３において、ＵＳＢが差し込まれた状態でないと判断した場合（Ｓ７３：ＮＯ）、後述するＳ７７に移行する。Ｓ７５においてメモリカード８７が差し込まれていない状態であると判断した場合（Ｓ７５：ＮＯ）、後述するＳ７７に移行する。
【００７４】
次に、Ｓ７１で取得した以前の状態と、Ｓ７２で取得した現在の状態を比較し、ＵＳＢに挿入された状態から抜かれた状態に変化しているかにより、ＵＳＢが切断されたか（ＰＣとの接続が切断されたか）否かを判断する（Ｓ７７）。ＵＳＢが切断された場合には（Ｓ７７：ＹＥＳ）、これから画像形成動作が要求されると予想されるので、リフレッシュ動作を実行し（Ｓ７８）、タイミング値記憶領域９３４に記憶されているタイミング値と、回数カウンタ記憶領域９３２に記憶されている回数カウンタの値をリセットする（Ｓ７９）。そして、Ｓ８０に進む。尚、Ｓ７８では最後にリフレッシュ動作前の画像を表示する。
【００７５】
ＵＳＢが切断されていなければ（Ｓ７７：ＮＯ）、Ｓ７２で取得した現在の状態を状態記憶領域９３５に記憶して（Ｓ８０）、メイン処理に戻る。
【００７６】
また、上述のように、ＵＳＢが切断されたと判断された場合に（Ｓ７７：ＹＥＳ）、リフレッシュ動作を実行するのは（Ｓ７８）、ＵＳＢが切断された場合にはこれから画像形成動作が要求されると予想されるからである。即ち、ＵＳＢを接続してメモリカード書換処理の実行中において、使用者はあまり画面書換操作を実行せず、ＵＳＢを切断して画像表示装置１を持ち歩いて使用するような場合において、使用者は画面書換操作を実行する場合が多いためである。
【００７７】
次に、図１２及び図１３を参照して、メイン処理で実行する画像形成要求チェック処理について説明する。まず、操作ボタン９５により画面書換操作が入力されたか否かを判断する（Ｓ８１）。画面書換操作が入力された場合には（Ｓ８１：ＹＥＳ）、画面書換え処理を実行し（Ｓ８２、図１３）、メイン処理に戻る。画面書換操作が入力されなかった場合には（Ｓ８１：ＮＯ）、そのままメイン処理に戻る。
【００７８】
次に、画面書換え処理では、図１３に示すように、まず、重みテーブル記憶領域９３１に記憶された重みテーブルから、回数係数(Count)、温度係数(Temp)、タイミング値の閾値(Thre)を取得する（Ｓ１０１）。次に、温度センサ８１から現在温度(current_temp)を取得し、温度記憶領域９３３に記憶する取得した温度を記憶する（Ｓ１０２）。
【００７９】
次に、回数カウンタ記憶領域９３２に記憶されている回数カウンタの値(count)を取得する（Ｓ１０３）。次に、タイミング値記憶領域９３４に記憶されている、それまでのタイミング値(Prev_TimingVal)を取得する（Ｓ１０４）。
【００８０】
次に、Ｓ１０２〜Ｓ１０４において取得した値に、Ｓ１０１で取得した係数を用いてタイミング値(TimingVal)を算出する（Ｓ１０５）。ここでは、以下の式により算出する。
TimingVal=Prev_TimingVal+{Temp*current_temp}/{Count*count+1}
この場合、タイミング値(TimingVal)はそれまでのタイミング値(Prev_TimingVal)を累積した値である。
【００８１】
そして、Ｓ１０５で算出されたタイミング値が、Ｓ１０１で取得した閾値を超えたか(TimingVal>Threを充たすか)否かを判断する（Ｓ１０６）。閾値を超えた場合には（Ｓ１０６：ＹＥＳ）、前回のリフレッシュ動作からの画像形成動作回数及び現在温度から判断してリフレッシュした方がよいタイミングになっていると判断し、リフレッシュ動作を実行する（Ｓ１０７）。そして、タイミング値記憶領域９３４に記憶されているタイミング値を０にリセットする（Ｓ１０８）。また、回数カウンタ記憶領域９３２に記憶されている回数カウンタの値を０にリセットする（Ｓ１０９）。尚、Ｓ１０７では最後にリフレッシュ動作前の画像を表示する。
【００８２】
次に、画像形成要求に応じた表示部３０への画像形成動作を実行する（Ｓ１１１）。ここで、この画像形成動作では、上述の画面書換操作に応じた画像が書き込まれる（図１２，Ｓ８１）。例えば、Ｓ８１において操作された画面書換操作が、表示中のページめくりを行なうページめくり操作であれば、メモリカード８６に記憶された次のページの画像データに基づいて画像が書き込まれるし、表示中のコンテンツを切換えるコンテンツ切替操作であれば、別のコンテンツの画像データに基づいて画像が書き込まれる。
【００８３】
これで、リフレッシュ動作（Ｓ１０７）の実行後、画像形成動作が１回実行されたことになるので、回数カウンタ記憶領域９３２に記憶された回数カウンタの値を１増加した値に更新する（Ｓ１１２）、画像形成要求チェック処理に戻る。
【００８４】
また、Ｓ１０５で算出されたタイミング値が閾値を超えていない場合には（Ｓ１０６：ＮＯ）、Ｓ１０５で算出されたタイミング値をタイミング値記憶領域９３４に記憶し（Ｓ１１０）、画像形成要求に応じた表示部３０への画像形成動作を実行する（Ｓ１１１）。そして、画像形成動作が実行されたので、回数カウンタ記憶領域９３２に記憶された回数カウンタの値を１増加した値に更新する（Ｓ１１２）。そして、画像形成要求チェック処理に戻る。
【００８５】
尚、上記の場合、Ｓ１０５でのタイミング値の算出方法によれば、各画像形成要求時において平均して高い温度である場合にリフレッシュされやすい。従って、高温状態が長時間続くことによる灰色劣化の蓄積に対応できる。
【００８６】
また、温度記憶領域９３３に、前回のリフレッシュ動作から所定間隔で計測した温度をすべて記憶しておき、その中の最高値(max_temp)を用いて以下の式で計算するようにしてもよい。
TimingVal = { Temp * max_temp } + { Count*count }
このようにしてタイミング値を算出すると、最後のリフレッシュの時刻から画像形成要求時までの間に高い温度の時があるとリフレッシュされやすい。従って、最後のリフレッシュの時刻から画像形成要求時までの間における一時的な急激な温度上昇による灰色劣化に対応できる。
【００８７】
また、温度記憶領域９３３に、前回のリフレッシュ動作から所定間隔で計測した温度をすべて記憶しておき、それらの和を算出した値(sum_temp)を用いて、以下の式で計算するようにしてもよい。
TimingVal = { Temp * sum_temp } / { Count*(count + 1) }
このようにしてタイミング値を算出すると、最後のリフレッシュの時刻から今回の画像形成要求時までの間に、各画像形成要求時に平均して高い温度である場合にリフレッシュされやすいので、高温状態が長時間続くことによる灰色劣化の蓄積に対応できる。
【００８８】
さらに、以下のような式により、画像形成要求があったときの温度センサの値を用いて計算を行なうこともできる。
TimingVal = { Temp*current_temp } + { Count*count }
このようにタイミング値を算出すると、温度が高い場合に画像形成要求があると、リフレッシュされやすい。従って、高温な場所での利用時に、高頻度でリフレッシュを実行できる。
【００８９】
以上説明したように、本実施形態の画像表示装置によれば、最後にリフレッシュ動作が行われたときからの画像形成動作の回数に加えて、温度の情報を加味してリフレッシュ動作のタイミングを決定する。従って、温度の高い場所において灰色劣化が起こった場合、それまでの画像形成回数が少ない場合でもリフレッシュ動作が行われる。また、回数と温度に加えて、使用者の実行した特定の操作に応じたタイミングでリフレッシュ動作を決定する。使用者がこれからディスプレイを使用すると推定できる操作を検出すれば、その操作の後に書き込み動作が予想されるので、回数と温度だけでは灰色劣化が生じていることが検出できない場合でもリフレッシュ動作を行うことができる。
【００９０】
尚、上記実施の形態において、図１３のＳ１１１で画像形成動作を実行するＣＰＵ９０が本発明の画像形成手段として機能する。また、図１３のＳ１０７でリフレッシュ動作を実行させるＣＰＵ９０がリフレッシュ制御手段として機能する。また、図１３のＳ１１２で回数カウンタの値をインクリメントするＣＰＵ９０が本発明の画像形成回数計測手段として機能する。また、図１３のＳ１０６でタイミング値が閾値を超えたか否かを判断するＣＰＵ９０が本発明のリフレッシュ決定手段として機能する。
【００９１】
また上記実施形態においては、Ｓ８１において画像形成要求がなされたときに（Ｓ８１：ＹＥＳ）、Ｓ１０２において温度センサ８１から温度を取得するものとして説明したが、温度センサ８１は所定の間隔（例えば５秒毎）で温度を計測し、温度記憶領域９３３に記憶されている温度が所定の間隔（例えば５秒）で更新されるものとし、Ｓ１０２においてそのとき温度記憶領域９３３に記憶されている温度を現在の温度としてタイミング値を算出するようにしてもよい。
【００９２】
また、上記実施形態においては、計数された回数と、温度センサ８１により計測された温度とに基づいてタイミング値を一度算出し、タイミング値が所定の閾値を越えたか否かに基づいて、リフレッシュ動作を実行するか否かを判断したが、計数された回数と、温度センサ８１により計測された温度とをそのまま数値化したものに基づいてリフレッシュ動作を実行するか否かを判断するようにしてもよい。例えば、回数が所定の回数、且つ、温度センサ８１により計測された平均の温度が所定の温度になった場合にリフレッシュ動作を実行するように決定してもよい。
【００９３】
また、上記実施形態においては、画像表示装置１に温度センサ８１を一つ配置したが（図１参照）、図１４に示すように複数の温度センサ８１を配置し、複数の温度センサ８１で計測された複数の温度のうち、その中の一番高い温度を示すものに基づいて、リフレッシュ動作を実行させるか否かを決定するように制御してもよい。図１４は、複数の温度センサ８１を設けた画像表示装置１の斜視図である。このように制御すれば、複数の温度センサ８１で計測された複数の温度のうち、最高の温度を示すものに基づいてリフレッシュ動作のタイミングが決定されるので、温度が高く灰色劣化が生じやすい表示パネル２の部分の灰色劣化に対応できる。
【００９４】
また、上記実施形態においては、画像表示装置１の表示パネル２の表示面が配置された面に温度センサ８１を配置したが、図１５に示すように表示パネル２の下部基板１０に直接温度センサ８１を配置し、表示パネル２の温度を計測するようにしてもよい。
【００９５】
ここで、図１５は画像表示装置１の断面の概略図である。図１５に示すように、前記電気泳動表装置１内に納められたＣＰＵ９０から表示パネル２と直交するように直線をひいたときに、表示パネル２とその直線とが交わる位置に温度センサ８１を配置すれば、ＣＰＵ９０からの熱が伝わり易い位置の温度を計測できるので、ＣＰＵ９０から受ける熱により灰色劣化が生じやすい表示パネル２の部分の灰色劣化に対応できる。図１５の例ではＣＰＵ９０で説明したが、制御基板３に配置された自ら熱を発するような素子（発熱部）であれば、同様のことが言える。
【００９６】
また、操作ボタン９５から遠い位置に温度センサ８１を配置すれば、人間の体温の影響を受けずに表示パネル２の温度を計測できる。
【００９７】
また、上記リフレッシュ動作時の時間ｔ１/５を時間ｔ２より長くしたとしても、リフレッシュ動作時に発生させる電位差をＶ１−Ｖ２よりも小さくすれば、灰色劣化した場合に実行されても基板に帯電粒子３３が付着することがないリフレッシュ動作を実現できる。
【図面の簡単な説明】
【００９８】
【図１】画像表示装置１の斜視図である。
【図２】表示パネル２の正面図である。
【図３】表示パネル２のＡ−Ａ´線（図２）における矢視方向断面図である。
【図４】表示パネル２のＢ−Ｂ´線（図２）における矢視方向断面図である。
【図５】リフレッシュ動作時及び画像形成動作時において上部電極１２に印加される電圧Ｖ１と、リフレッシュ動作時及び画像形成動作時において下部電極２２に印加される電圧Ｖ２と、リフレッシュ動作時及び画像形成動作時において上部電極１２と下部電極２２との間に発生する電位差Ｖ１−Ｖ２との一例を説明する説明図である。
【図６】画像表示装置１の電気的構成を示すブロック図である。
【図７】画像表示装置１のメイン処理のフローチャートである。
【図８】メイン処理で実行されるメモリカードチェック処理のフローチャートである。
【図９】メイン処理で実行されるリフレッシュ用ボタンチェック処理のフローチャートである。
【図１０】メイン処理で実行される充電状態チェック処理のフローチャートである。
【図１１】メイン処理で実行されるＵＳＢチェック処理のフローチャートである。
【図１２】メイン処理で実行される画像形成要求チェック処理のフローチャートである。
【図１３】画像形成要求チェック処理の中で実行される画面書換え処理のフローチャートである。
【図１４】複数の温度センサ８１を設けた画像表示装置１の斜視図である。
【図１５】画像表示装置１の断面の概略図である。
【符号の説明】
【００９９】
１      画像表示装置
２      表示パネル
３      制御装置
１０      下部基板
１１      下部電極保護膜
１２      下部電極
１３      筐体支持部
２０      上部基板
２１      上部電極保護膜
２２      上部電極
２３      表示層
３０      表示部
３１      スペーサー
３３ａ，３３ｂ      帯電粒子
３４      分散媒
４０      マスク部
５２      ＲＡＭ
８１      温度センサ
８２      メモリカード抜き差しセンサ
８３      電源ボタン
８４      充電コネクタ抜き差しセンサ
８５      ＵＳＢ抜き差しセンサ
９０      ＣＰＵ
９１      ＲＯＭ
９２      表示制御部
９３      ＲＡＭ
９４      タイマ
９５      操作ボタン
９３１      重みテーブル記憶領域
９３２      回数カウンタ記憶領域
９３３      温度記憶領域
９３４      タイミング値記憶領域
９３５      状態記憶領域
【図１】
2007187936.tif 000003
【図２】
2007187936.tif 000004
【図３】
2007187936.tif 000005
【図４】
2007187936.tif 000006
【図５】
2007187936.tif 000007
【図６】
2007187936.tif 000008
【図７】
2007187936.tif 000009
【図８】
2007187936.tif 000010
【図９】
2007187936.tif 000011
【図１０】
2007187936.tif 000012
【図１１】
2007187936.tif 000013
【図１２】
2007187936.tif 000014
【図１３】
2007187936.tif 000015
【図１４】
2007187936.tif 000016
【図１５】
2007187936.tif 000017